(57)【要約】【課題】耐久性がよく、遊技領域側に大きくはみ出すことなく小型に構成され、遊技領域を広く確保できると共に、破損した場合の交換が容易にできるようにする。【解決手段】遊技盤１の前面に固着された円弧状の外レール３と内レール４とにより発射球通路２が構成されたパチンコ機において、内レールの上端部に着脱可能に取り付けられる球戻り防止装置であって、合成樹脂により成形された枠状部材６と傾動部材７と蓋板状部材８とからなり、弾性片１５の内面に係合突起１６を形成し、前記傾動部材は支軸２２を水平に貫挿し重錘２４を備えると共に球止め片２６を形成し、枠状部材と蓋板状部材との間にスリット状の隙間３０および前記発射球通路に面する控室３１が形成され、該隙間に前記内レールの上端部を挿入することにより該内レールに予め開設された貫通孔４１に前記係合突起が弾性的に嵌着して抜脱が防止され、前記傾動部材は重錘とのバランスにより常態では球止め片が発射球通路に上向姿勢にて張り出し該重錘が該控室に位置するようにした。【選択図】図７
2006158454.tif 000002
【特許請求の範囲】
【請求項１】
遊技盤の前面に固着された円弧状の外レールと内レールとにより発射球通路が構成されたパチンコ機において、球戻り防止装置本体に弾性片およびスリット状の隙間を形成し、該弾性片に形成された係合突起の先端面は該弾性片の先端方向に向けて突出量を低くする斜面状に形成し、前記隙間に前記内レールの上端部を挿入することにより該内レールに予め開設された貫通孔に前記係合突起を弾性的に嵌着させ、該球戻り防止装置本体を遊技盤の表面に当接させた状態で該内レールの上端部に着脱可能に取り付けてなることを特徴としたパチンコ機の球戻り防止装置。
【請求項２】
遊技盤の前面に固着された円弧状の外レールと内レールとにより発射球通路が構成されたパチンコ機において、内レールの上端部に着脱可能に取り付けられる球戻り防止装置であって、合成樹脂により成形された枠状部材と傾動部材と蓋板状部材とからなり、枠状部材は略方形枠状でその両側辺部の内面に軸受溝を形成すると共に下辺部中央に弾性片を延設し、該弾性片の内面に係合突起を形成し該係合突起の先端面は該弾性片の先端方向に向けて突出量を低くする斜面状に形成し、前記傾動部材は支軸を水平に貫挿し該支軸の下部に重錘を備えると共に該支軸の斜め上方に球止め片を形成し、該支軸の両端部を前記枠状部材の軸受溝中に配置して該枠状部材に前記蓋板状部材を合着することにより該軸受溝が該蓋板状部材により封止されると同時に該枠状部材と蓋板状部材との間にスリット状の隙間および前記発射球通路に面する控室が形成され、該隙間に前記内レールの上端部を挿入することにより該内レールに予め開設された貫通孔に前記係合突起が弾性的に嵌着して抜脱が防止され、前記傾動部材は重錘とのバランスにより常態では球止め片が発射球通路に上向姿勢にて張り出し該重錘が該控室に位置するようにしたことを特徴とするパチンコ機の球戻り防止装置。
【請求項３】
傾動部材に備えられる重錘として金属製ビスを用いたことを特徴とする請求項２に記載のパチンコ機の球戻り防止装置。
【発明の詳細な説明】
【技術分野】
【０００１】
本発明は、発射装置から打ち出されたパチンコ球が遊技盤の遊技領域から打球発射部側へ戻るのを防止するパチンコ機の球戻り防止装置に関するものである。
【背景技術】
【０００２】
パチンコ機の発射球通路は周知のように遊技盤の前面に円弧状の外レールと内レールとを止ピンによって固着することによって構成されている。そして下記特許文献１，２に示されたように、内レールの上端にプラスチック又はごく薄い金属板などの弾性材で形成された舌片状の球戻り防止片を上向姿勢に取り付けることにより、遊技盤の遊技領域に一旦出て釘等に当たって戻ってきたパチンコ球が該球戻り防止片に当たることで発射球通路に戻ることがないようにしている。
また、下記特許文献３に示された球戻り防止装置は、磁力によって常態では球戻り防止片を発射球通路に張り出させるようにする磁石が設けられ、下記特許文献４に示された球戻り防止装置は、常態では球戻り防止片が重錘とのバランスにより発射球通路に張り出すように構成したものであった。
【特許文献１】実用新案登録第２５３７２４０号公報
【特許文献２】実用新案登録第２５５９９１１号公報
【特許文献３】特許第２９５７３６６号公報
【特許文献４】特許第３１６７６８３号公報
【発明の開示】
【発明が解決しようとする課題】
【０００３】
ところで、従来の上記特許文献１，２に示された装置では、繰り返し発射されるパチンコ球が当たることで金属板などの弾性材が疲労を起こし短期間で弾力性を無くし破断するおそれがあるなど、耐久性がよくない問題があった。また、使用により汚くなり、その汚れを落とすため、遊技盤面を洗浄する際に、この弾性材にブラシ等が当たり変形させ易いという欠点もあった。
また、上記特許文献３，４に示された球戻り防止装置は夫々耐久性を向上し得るものと言えが、近年のパチンコ機は遊技盤に大型の液晶表示装置等が設けられることが多いため遊技領域を如何に広く確保するかが課題となっているところ、これらの特許文献３，４に示された球戻り防止装置は、内レールの上端部に遊技領域側に大きくはみ出して取り付けられるものであったので、遊技領域を狭くするという問題があった。また、この特許文献３，４に示された球戻り防止装置は、遊技盤に釘止めしたものであったので、破損した場合の交換が容易でないという問題がある。
本発明は、このような問題点を解決しようとするものである。
【課題を解決するための手段】
【０００４】
そのために請求項１に記載した発明は、遊技盤の前面に固着された円弧状の外レールと内レールとにより発射球通路が構成されたパチンコ機において、球戻り防止装置本体に弾性片およびスリット状の隙間を形成し、該弾性片に形成された係合突起の先端面は該弾性片の先端方向に向けて突出量を低くする斜面状に形成し、前記隙間に前記内レールの上端部を挿入することにより該内レールに予め開設された貫通孔に前記係合突起を弾性的に嵌着させ、該球戻り防止装置本体を遊技盤の表面に当接させた状態で該内レールの上端部に着脱可能に取り付けてなることを特徴とする。
また、請求項２に記載した発明は、遊技盤の前面に固着された円弧状の外レールと内レールとにより発射球通路が構成されたパチンコ機において、内レールの上端部に着脱可能に取り付けられる球戻り防止装置であって、合成樹脂により成形された枠状部材と傾動部材と蓋板状部材とからなり、枠状部材は略方形枠状でその両側辺部の内面に軸受溝を形成すると共に下辺部中央に弾性片を延設し、該弾性片の内面に係合突起を形成し該係合突起の先端面は該弾性片の先端方向に向けて突出量を低くする斜面状に形成し、前記傾動部材は支軸を水平に貫挿し該支軸の下方に重錘を備えると共に該支軸の斜め上方に球止め片を形成し、該支軸の両端部を前記枠状部材の軸受溝中に配置して該枠状部材に前記蓋板状部材を合着することにより該軸受溝が該蓋板状部材により封止されると同時に該枠状部材と蓋板状部材との間にスリット状の隙間および前記発射球通路に面する控室が形成され、該隙間に前記内レールの上端部を挿入することにより該内レールに予め開設された貫通孔に前記係合突起が弾性的に嵌着して抜脱が防止され、前記傾動部材は重錘とのバランスにより常態では球止め片が発射球通路に上向姿勢にて張り出し該重錘が該控室に位置するようにしたことを特徴とする。
また、請求項３に記載した発明は、上記球戻り防止装置において傾動部材に備えられる重錘として金属製ビスを用いたことを特徴とする。
【発明の効果】
【０００５】
請求項１に記載した球戻り防止装置は、内レールの上端部に簡単に取り付けられ抜脱するおそれがないと共に、該球戻り防止装置を遊技盤の表面に当接させることでガタツキなく取り付けられる。
また、請求項２に記載した球戻り防止装置では、内レールの上端部に簡単に取り付けられ抜脱するおそれがないと共に、遊技領域側にはみ出すことなく広い遊技領域が確保される。また、耐久性がよいと共に、破損した場合の交換も容易である。
また請求項３に記載の発明では、既存の金属製ビスを重錘として簡単に利用でき、その組み付けも簡単になることから生産性もよくなる。
【発明を実施するための最良の形態】
【０００６】
次に本発明を実施するための最良の形態を図面に従い説明する。図１は本発明に係るパチンコ機の正面図で、１は遊技盤、２は該遊技盤の前面に円弧状に湾曲させたステンレス製帯板からなる外レール３を固着し該外レールの内側に適宜間隔を置いて内レール４を止着することによって固着することにより形成された発射球通路で、該内レール４の上端部に本発明に係る球戻り防止装置５が取り付けられる。
【０００７】
図２は球戻り防止装置５の分解斜視図である。この球戻り防止装置は、合成樹脂により成形された枠状部材６と傾動部材７と蓋板状部材８とからなる。枠状部材６は、図３にも示したように、上辺部９と両側辺部１０，１０と下辺部１１とからなる略方形枠状で、該両側辺部の内面に半円状の軸受溝１２，１２を形成するとともに、下辺部１１は該両側辺部１０，１０より段状に低下した形態に形成し、該下辺部１１の両端部から下方に延びる延長部１３，１３を形成し、該延長部の内側にさらに段状に低下した形態に平面部１４ａ，１４ａを形成すると共に、該延長部の先端部にも同じく段状に低下した形態に平面部１４ｂ，１４ｂを形成している。また、該下辺部１１の中央より板バネ状なるように一体に弾性片１５を延設し、該弾性片の内面を平面部１４ａ，１４ｂと同水準にするとともに該内面に円柱状の係合突起１６を形成し、該係合突起の先端面１７を該弾性片の先端方向に向けて突出量を低くした斜面状に形成している。なお、１８は該枠状部材６の一側縁のみに一体に幅厚に形成された縁覆部である。また、９ａ，１０ａ，１１ａ，１３ａは夫々上辺部９，両側辺部１０，１０，下辺部１１，延長部１３，１３の内面に形成された嵌合のための長孔形浅溝、１９は下辺部１１の両端部内面に形成された嵌合のための丸孔形浅溝である。
【０００８】
また、傾動部材７は、ステンレス棒からなる支軸２２を貫挿するための軸挿部２３が形成され、該軸挿部２３の下部に重錘としての金属製ビス２４が螺入される筒状部２５を形成し、該支軸の斜め上方に球止め片２６が形成され、該球止め片の先端には上面側に丸く突出縁２６ａが形成されている。
【０００９】
また、蓋板状部材８は内面中央に凹面部８ａが形成され、その周囲に前記軸受溝１２，１２の開口縁に合致する長方形突起１２ｂ、および前記長孔形浅溝９ａ，１０ａに嵌合する長円形突起９ｂ，１０ｂが形成され、その下方に前記延長部１３，１３および平面部１４ａ，１４ａ，１４ｂ，１４ｂと相対し中央部にＵ字状切抜２７が形成された延長板部２８が形成され、該延長板部に前記長孔形浅溝１１ａ，１３ａおよび丸孔形浅溝１９に嵌合する長円形突起１１ｂ，１３ｂおよび円柱形突起１９ｂが形成される。なお、２９，２９は該延長板部２８の下縁部寄り内面に形成された蒲鉾形の浅い突条である。
【００１０】
これらをもって球戻り防止装置に組み立てるに際しては、金属製ビス２４を筒状部２５に螺入した後、該傾動部材７の軸挿部２３を枠状部材６内にその前面より入れて該枠状部材６の内面に突出させた状態で該軸挿部２３に支軸２２を貫挿し、該支軸の両端部を軸受溝１２，１２中に配置する。そして、長孔形浅溝９ａ，１０ａ，１１ａ，１３ａ等に接着剤を塗布するか或いは超音波溶着により蓋板状部材８を該枠状部材６に合着させる。これにより、軸受溝１２，１２が封止され支軸２２が挟着されると同時に、図５に示したように該枠状部材６と蓋板状部材８との間にスリット状の隙間３０および前記発射球通路に面し得る控室３１が形成される。
【００１１】
一方、前記内レール２の上端部は、図４，図５に示されたように、先端縁の両肩部を切り落とすことで狭幅にした挿入部４０を形成すると共に、該挿入部の中心線上に貫通孔４１を開設してなる。なお、４２は該内レール２を遊技盤１に止着している釘を示す。そこで上記のように組み立てられた球戻り防止装置は、隙間３０に挿入部４０を挿入するとき係合突起１６の先端面１７が斜面状に形成されていることから弾性片１５は弾性変形し該先端面１７が該挿入部４０の片面を摺接し、完全に挿入することにより該弾性片１５が復元し該係合突起１６が貫通孔４１に嵌合する。また、該挿入部４０の両側縁は隙間３０の両側にある延長部１３，１３の内面に摺接すると共に、図６に示したように枠状部材６および蓋板状部材８の一側縁が遊技盤１の表面に当接することからガタツキなく、隙間３０に挿入部４０を挿入するだけで抜脱するおそれもなく簡単に取り付けることができる。
【００１２】
こうして取り付けられた球戻り防止装置は、図７に示したように傾動部材７は重錘である金属製ビス２４とのバランスにより常態では球止め片２６が発射球通路２に上向姿勢にて張り出し該重錘が控室３１に位置する。このため発射球４３が該球止め片２６に当たると、図８に示したように傾動部材７は支軸２２を支点として回転し該球止め片２６をさらに上向きに退避させ該発射球４３が遊技盤１の遊技領域４４に放出されるのを妨げない。そして該発射球４３が通過すると重錘の作用で該球止め片２６は直ぐに図７に示した発射球通路２に上向姿勢にて張り出した状態に戻される。このため遊技領域４４に一旦放出された発射球が跳ね返ってきても該球止め片２６に当たることで発射球通路に戻ることがない。なお、球止め片２６の突出縁２６ａは図示した如く丸く形成されていることから跳ね返ってきた発射球がこの上に乗ったままとなってしまうおそれがない。
【００１３】
このようにこの球戻り防止装置は、傾動部材７が重錘とのバランスによって作動するので、従来のように弾性材を疲労させるようなこともなく耐久性が高い。また、球止め片２６が摩耗し寿命となって交換を要するような場合は、マイナスドライバー等の工具を使い弾性片１５を起こして係合突起１６を貫通孔４１中から外し、引き抜くことにより簡単に取り外すことができるので、メンテナンスも容易である。なお、この球戻り防止装置はこのように後付，交換が容易であるが、この球戻り防止装置が予め取り付けられた内レール２を前記釘４２によって遊技盤１に固定してもよい。
【００１４】
そして、この球戻り防止装置では、常態では球止め片２６が発射球通路２に上向姿勢にて張り出し重錘が控室３１に位置することから、該重錘が発射球の通過を邪魔することがない。そして、この球戻り防止装置は内レール２の上端部が延長されるような形態で取り付けられることから、遊技領域４４に張り出す割合を非常に少ないものとすることができる。このためこの球戻り防止装置を取り付けることにより遊技領域４４が殆ど狭められることはなく、遊技領域を広く確保することができる。
【図面の簡単な説明】
【００１５】
【図１】本発明に係る球戻り防止装置が設けられたパチンコ機の正面図。
【図２】本発明に係る球戻り防止装置の分解斜視図。
【図３】本発明に係る球戻り防止装置の枠状部材の内面の平面図。
【図４】本発明に係る球戻り防止装置を内レールに取り付ける際の側面図。
【図５】図４のＡ−Ａ線断面図。
【図６】本発明に係る球戻り防止装置を内レールに取り付けたときの側面図。
【図７】本発明に係る球戻り防止装置の取り付け状態を示した要部の縦断面図。
【図８】図７の球戻り防止装置の作動状態図。
【符号の説明】
【００１６】
１      遊技盤
２      発射球通路
３      外レール
４      内レール
６      枠状部材
７      傾動部材
７ａ    先端部
８      蓋板状部材
８ａ    凹面部
１２    軸受溝
１３    延長部
１５    弾性片
１６    係合突起
１７    先端面
２２    支軸
２４    重錘（金属製ビス）
２６    球止め片
３０    隙間
３１    控室
４０    挿入部
４１    貫通孔
４３    発射球
４４    遊技領域
【図１】
2006158454.tif 000003
【図２】
2006158454.tif 000004
【図３】
2006158454.tif 000005
【図４】
2006158454.tif 000006
【図５】
2006158454.tif 000007
【図６】
2006158454.tif 000008
【図７】
2006158454.tif 000009
【図８】
2006158454.tif 000010